(57)【要約】【課題】勾配を有する二面の屋根が交差して谷部が形成された屋根への瓦葺きに際し、熟練工でなくても、容易な作業で、外観良く、谷部を仕上げることができる谷部仕上げ具を提供する。【解決手段】谷部仕上げ具１は、平面視略矩形の長尺の平板状の底面部２２、底面部の谷部５側となる側端に底面部と略直交するように設けられた瓦端被覆部２３、瓦端被覆部の上方の側辺から底面部と同一の方向に延設された上面部２１、瓦端被覆部、底面部、及び上面部の軒先側の側辺によって構成される開端部を塞ぐ軒先面部、及び底面部に設けられた孔部２５を有した一対の瓦収容部２０と、断面Ｖ字形の長尺の平板状の谷被覆部１３、谷被覆部の長手方向の両側辺の夫々から断面Ｖ字形の内側に向けて延設された第一側面部１１、及び第一側面部の夫々から外方に向けて延設され、底面部と伴に捨桟木４５に対して取付けられる二つの第二側面部１２とを有した谷樋部１０とを具備する。【選択図】図１
2008057173.tif 000002
【特許請求の範囲】
【請求項１】
勾配を有する二面の屋根が交差して谷部が形成された屋根への屋根瓦の敷設に際し、谷部の仕上げを行うために用いられる屋根谷部仕上げ具であって、
平面視略矩形の長尺の平板状に形成され、長手方向が前記谷部と平行となるように配される底面部、
該底面部の前記谷部側となる側端に前記底面部と略直交するように設けられ、前記谷部に沿って切断された屋根瓦の断面を被覆する瓦端被覆部、
前記瓦端被覆部の上方の側辺から前記底面部と同一の方向に向けて延設された上面部、
前記瓦端被覆部、前記底面部、及び前記上面部の軒先側となる側辺によって構成される開端部を塞ぐように設けられた軒先面部、及び、
前記底面部に設けられた孔部を有した一対の瓦収容部と、
断面Ｖ字形の長尺の平板状に形成され、長手方向を前記谷部と平行に、前記谷部を被覆するように配される谷被覆部、
該谷被覆部の長手方向の両側辺のそれぞれから、前記断面Ｖ字形の内側に向けて延設された二つの第一側面部、及び、
該第一側面部のそれぞれから外方に向けて延設され、一対の前記瓦収容部が互いに対向するようにそれぞれに載置されると共に、前記底面部と伴に前記谷部と略平行に屋根に設けられる捨桟木に対して取付けられる二つの第二側面部を有した谷樋部と
を具備することを特徴とする屋根谷部仕上げ具。
【請求項２】
前記上面部の長手方向に対する略直角方向の長さは、前記底面部の長手方向に対する略直角方向の長さより短いことを特徴とする請求項１に記載の屋根谷部仕上げ具。
【請求項３】
前記瓦収容部に収容される屋根瓦と前記底面部との間に充填されるシーリング材を、更に具備することを特徴とする請求項１または請求項２に記載の屋根谷部仕上げ具。
【発明の詳細な説明】
【技術分野】
【０００１】
本発明は、屋根谷部仕上げ具に関するものであり、特に、勾配を有する二面の屋根が交差して谷部が形成された屋根への瓦の敷設に際し、谷部の仕上げを行うために用いられる屋根谷部仕上げ具に関するものである。
【背景技術】
【０００２】
勾配を有する二つの屋根面が交差して「谷部」が形成された屋根では、瓦が敷設される際に、谷部からはみ出す部分の瓦が切断される。そして、瓦の端が谷部に沿うように葺かれていない場合は、非常に目立ち美感を損なうため、谷部に沿って瓦の端が一直線上に揃うように、瓦を切断することが求められる。また、陶器瓦（釉薬瓦）など、表面の色と断面の色とが異なる瓦の場合は、谷部に沿って切断された部分が目立たないよう、切断面に表面の色と同じような色で塗装が施されるのが一般的である。
【０００３】
上記の従来技術は、公然に実施されているものであり、出願人は、この従来技術が記載された文献を、本願出願時においては知見していない。
【発明の開示】
【発明が解決しようとする課題】
【０００４】
しかしながら、谷部に沿って瓦の端が一直線上に揃うように瓦を切断する作業は、高度に熟練した技術を要するものであり、かかる技術を備えた熟練工の数は限られるものであった。そして、熟練工ではない作業者が作業をする場合は、切断された瓦が谷部に沿って揃わず、外観が良くないことがあった。また、熟練工ではない作業者の場合は、瓦が谷部に沿って揃うように切断しようとすると、作業に慎重を期すために、施工に時間を要しコストも嵩むという問題があった。
【０００５】
更に、上記のように、瓦の断面に塗装を施す作業は、極めて煩雑である上、表面と同色にすることも困難であった。また、いぶし瓦など表面の色と断面の色とが異ならない瓦であっても、滑らかな表面と凹凸のある切断面とでは外観が異なるものであった。また、塗装の有無に関わらず、時間の経過によって瓦を構成する粘土中の成分が断面に浸出することによる、いわゆる「白化現象」が起こり、一見するとカビが生えたようにも見え、見栄えが悪化することがあった。
【０００６】
加えて、谷部に沿うように切断された瓦が小片となる場合は、これを支える部材を屋根に取付ける等の付加的な作業が必要となり、手間や時間がかかるという問題があった。
【０００７】
そこで、本発明は、上記の実情に鑑み、勾配を有する二面の屋根が交差して谷部が形成された屋根への瓦葺きに際し、熟練工でなくても、容易な作業で、外観良く、谷部を仕上げることができる谷部仕上げ具の提供を課題とするものである。
【課題を解決するための手段】
【０００８】
上記の課題を解決するため、本発明にかかる屋根谷部仕上げ具は、「勾配を有する二面の屋根が交差して谷部が形成された屋根への屋根瓦の敷設に際し、谷部の仕上げを行うために用いられる屋根谷部仕上げ具であって、平面視略矩形の長尺の平板状に形成され、長手方向が前記谷部と平行となるように配される底面部、該底面部の前記谷部側となる側端に前記底面部と略直交するように設けられ、前記谷部に沿って切断された屋根瓦の断面を被覆する瓦端被覆部、前記瓦端被覆部の上方の側辺から前記底面部と同一の方向に向けて延設された上面部、前記瓦端被覆部、前記底面部、及び前記上面部の軒先側となる側辺によって構成される開端部を塞ぐように設けられた軒先面部、及び、前記底面部に設けられた孔部を有した一対の瓦収容部と、断面Ｖ字形の長尺の平板状に形成され、長手方向を前記谷部と平行に、前記谷部を被覆するように配される谷被覆部、該谷被覆部の長手方向の両側辺のそれぞれから、前記断面Ｖ字形の内側に向けて延設された二つの第一側面部、及び、該第一側面部のそれぞれから外方に向けて延設され、一対の前記瓦収容部が互いに対向するようにそれぞれに載置されると共に、前記底面部と伴に前記谷部と略平行に屋根に設けられる捨桟木に対して取付けられる二つの第二側面部を有した谷樋部とを」具備して構成されている。
【０００９】
「谷部」とは、勾配を有する二面の屋根が交差して断面Ｖ字状に形成される部分をいう。「谷被覆部」は、断面のＶ字形の角度を、谷部を形成する二面の屋根の勾配に合わせることにより、谷部を被覆させることができる。
【００１０】
「谷樋部」及び「瓦収容部」は、例えば、金属の押出成形や平板の折曲成形によって、それぞれ一体的に形成することができる。あるいは、金属製の平板を、融着・接着等により適宜の辺で接合させて形成することができる。ここで、金属としては、ステンレス、アルミニウム、鉄、銅等を例示することができ、カラー鉄板のように着色加工された金属板を使用することもできる。また、金属に限らず、樹脂やセラミックス等を用いて形成することもできる。更に、「谷樋部」及び「瓦収容部」は、一体的に形成されたり、接合により一体化されたりする場合に限定されず、部分的に部材を重畳させ、ネジやボルトで組み付けることにより形成させることもできる。加えて、「谷樋部」及び「瓦収容部」が別体に形成される場合に限定されず、両者が一体的に形成されるものであっても良い。
【００１１】
「孔部」は円形、長孔状等の適宜の形状に形成することができる。また、底面部において孔部を形成する位置は、瓦端被覆部と軒先面部との境界付近、すなわち、谷部に沿って瓦収容部が設置された場合に、最も低い位置となる部分の角部とすれば、雨水を効率良く排出でき好適である。その他、例えば、底面において瓦端被覆部との境界に、所定間隔で複数を設けることができる。なお、ゴミやホコリ等による詰まりを防止するため、孔部は底面部の強度を考慮しつつできるだけ大きく開口させることが望ましい。
【００１２】
「第二側面部」の捨桟木に対する取付けは、例えば、釘やネジ等の係止部材による留付けや、接着により行うことができる。また、「第二側面部が底面部と伴に捨桟木に対して取付けられる」構成は、釘やネジ等によって、第二側面部を介して底面部が捨桟木に取付けられる構成、捨桟木に取付けられた第二側面部に対して、係止部材による留付けや融着・接着により底面部が取付けられる構成、上記のように谷樋部と瓦収容部が一体的に形成され、折り返されて第二側面部上に重畳した部分で底面部が形成される構成、を例示することができる。なお、「捨桟木」は、引掛け桟工法で瓦葺きを行う際に屋根に取付けられる瓦桟木と同様に、長尺の角柱状の木材で構成することができるが、長手方向を略水平方向に一致させて設けられる瓦桟木とは異なり、谷部と略平行に、谷部の両側にそれぞれ一本が設けられる。
【００１３】
従って、本発明によれば、谷部に沿って切断された瓦の端部を瓦収納部に収容させることにより、瓦の切断面が瓦端被覆部により被覆される。また、瓦収納部に収容された瓦の側面も、軒先面部により目隠しされる。そのため、必ずしも切断面が谷部に沿ってきれいに揃うように、瓦が切断される必要がなく、熟練した技術が要求されることなく、極めて容易に、短時間の作業で、外観良く谷部の仕上げを行うことができる。
【００１４】
また、陶器瓦のように断面と表面とで色が相違すること、断面が表面より凹凸が大きく粗いこと、断面にいわゆる白化現象が生じること等に起因して、外観に影響を及ぼす種々の問題も解消される。更に、従来のように、陶磁器瓦の断面に表面の色に近い塗装を施す必要もないため、煩雑な作業を回避し、容易かつ迅速に、谷部の仕上げを行うことができる。
【００１５】
加えて、谷部に沿うように切断された瓦が小片となる場合、従来では、小片の瓦を支える支持部材を屋根に取付ける付加的な作業が必要であった。これに対し、本発明では、切断された瓦が小片となったとしても、瓦収容部に収容されて瓦収容部によって支持されるため、付加的な作業を何ら必要とすることなく、容易かつ迅速に、谷部の仕上げを行うことができる。
【００１６】
更に、従来では、波型の瓦を用いる場合、瓦の下方に大きく形成される空間が谷部に沿って開口し、そこから雀などの鳥が入り込んで巣を作ってしまうことが問題となっていた。これに対し、本発明では、谷部に沿って瓦の端部が瓦収容部に収容され、瓦下の空間が外方に開口しないため、上記のような問題を解消することができる。
【００１７】
また、瓦収容部の底面部に孔部が設けられているため、瓦を伝わって流下する雨水が孔部から谷樋部へ排出される。ここで、谷樋部の第一側面部は谷被覆部からＶ字形の内側、すなわち上方に屈曲しており、更に第二側面部が屋根から突出した捨桟木に対して取付けられているため、谷樋部を流下する雨水が谷樋部の外側辺から流出して谷樋部の下面側に回り込む恐れが低減される。これにより、谷部での雨漏りを有効に防止することができる。なお、底面部の自由端側を上方へ折曲げる等により、いわゆる「返し」を設け、瓦収容部に流入した雨水が流出して谷樋部の下面側へ回込むことを防止する構成としても良い。
【００１８】
次に、本発明にかかる屋根谷部仕上げ具は、「前記上面部の長手方向に対する略直角方向の長さは、前記底面部の長手方向に対する略直角方向の長さより短い」ものである。
【００１９】
従って、本発明によれば、釘やネジ等の係止部材によって、底面部を第二側面部に取付け、或いは、第二側面部を介して底面部を捨桟木に取付ける際に、上面部が邪魔にならず、作業がし易いものとなる。
【００２０】
次に、本発明にかかる屋根谷部仕上げ具は、上記構成に加え、「前記瓦収容部に収容される屋根瓦と前記底面部との間に充填されるシーリング材を」を具備するものとすることができる。
【００２１】
「シーリング材」は、合成樹脂、発泡樹脂、水分の吸収により膨潤する樹脂等を使用することができ、谷部の長さに応じた長尺のものであれば、屋根瓦と底面部との間に挿入し易く好適である。また、高い弾性を有する素材であれば、波型の瓦を葺く場合など、瓦の下面と底面部との空隙の大きさが場所によって異なる場合でも、シーリング材の変形によって空隙を充填することができ、好適である。
【００２２】
従って、本発明によれば、瓦を伝わって瓦収容部に流れ込んだ雨水が大量で、孔部からの排出では充分ではない場合でも、底面部、第二側面部、及び捨桟木の取付け部分への雨水の浸入がシーリング材によって防止される。特に、底面部、第二側面部、及び捨桟木の取付けを、釘やネジ等で行った場合は、釘打ちによって底面部や第二側面部に生じた孔や、ネジを通すために形成された孔を通じて、雨水が第二側面部より下方に流下してしまうが、かかるシーリング材を具備することにより、雨水が谷樋部の下面側に回り込むことを防止することができる。
【発明の効果】
【００２３】
以上のように、本発明の効果として、勾配を有する二面の屋根が交差して谷部が形成された屋根への瓦葺きに際し、熟練工でなくても、容易な作業で、外観良く、谷部を仕上げることができる谷部仕上げ具を提供することができる。
【発明を実施するための最良の形態】
【００２４】
以下、本発明の最良の一実施形態である屋根谷部仕上げ具について、図１乃至図４に基づいて説明する。なお、本実施形態では、屋根に波形の陶器瓦を敷設する場合の谷部の仕上げに、本実施形態の屋根谷部仕上げ具を適用する場合について例示する。ここで、図１は本実施形態の屋根谷部仕上げ具の構成を示す切断部端面図であり、図２は図１におけるＡ範囲の拡大図であり、図３は図１の屋根谷部仕上げ具を屋根に取付けた状態を示す模式図であり、図４は図１の屋根谷部仕上げ具の使用方法を説明する説明図である。なお、構成を明確化するために、瓦収容部や谷樋部を構成する平板の厚さや、各構成間の間隙を誇張して図示している。
【００２５】
本実施形態の屋根谷部仕上げ具１を設置する屋根は、図３に示すように、勾配を有する二面の屋根４１，４２が交差して谷部５が形成されている。それぞれの屋根４１，４２では、図１及び図４（ａ）に示すように、野地板４６の上に、防水性を有する下葺き材４７が敷設されている。また、瓦５０を引掛け掛止するための複数の瓦桟木４６が、長尺の角柱状の木材によって構成され、隣接する軒先を結ぶ軒先線と略平行に、下葺き材４７を介して野地板４６に対して釘によって固定されている。更に、谷部５の両側には、谷部５とほぼ同じ長さの角柱状の木材によって構成された捨桟木４５が、谷部５と略平行にそれぞれ一本設けられている。この捨桟木４５は、瓦桟木４６とほぼ同じ高さであり、瓦桟木４６は、捨桟木４５より谷部５側には延びていない構成となっている。
【００２６】
本実施形態の屋根谷部仕上げ具１は、図１及び図２に示すように、谷樋部１０と瓦収容部２０とを主に具備して構成され、一つの谷樋部１０に対して一対の瓦収容部２０を備えている。より詳細に説明すると、谷樋部１０は、断面Ｖ字形の長尺の平板状に形成された谷被覆部１３と、谷被覆部１３の長手方向の両側辺のそれぞれから、断面Ｖ字形の内側に向けて延設された略矩形の二つの第一側面部１１と、第一側面部１１のそれぞれから外方に向けて延設された略矩形の二つの第二側面部１２とを具備して構成されている。なお、本実施形態の捨桟木４５は、断面の高さ約１５ｍｍ及び幅約３０ｍｍの一般的な寸法のものが使用され、第一側面部１１の谷被覆部１３に対する高さは、捨桟木４５の高さとほぼ等しく設定されている。また、本実施形態の谷樋部１０は、ステンレス製の平板によって、一体的に形成されている。
【００２７】
一対の瓦収容部２０は、互いに対向して配される同一の構成であり、本実施形態では、それぞれがステンレス製の平板によって一体的に形成されている。そして、それぞれが平面視略矩形の長尺の平板状に形成された底面部２２と、底面部２２の谷部５側となる側辺から上方に向けて略直角に延設され、谷部５に沿って切断された瓦５０の断面を被覆する略矩形の瓦端被覆部２３と、瓦端被覆部２３の上方の側辺から、底面部２２と同一の方向に向けて略直角に延設された略矩形の上面部２１と、瓦端被覆部２３、底面部２２、上面部２１の軒先側となる側辺によって構成される開端部を塞ぐように設けられる軒先面部（図示しない）とを、具備して構成されている。なお、図１，図２及び後述の図４では、谷部５を鉛直方向に切断した場合を図示しているため、底面部２２及び瓦端被覆部２３がなす角度と、瓦端被覆部２３及び上面部２１がなす角度とが異なるように図示されているが、実際には底面部２２、瓦端被覆部２３及び上面部２１は、内角が略直角のコ字状の断面を有する構成である。
【００２８】
更に、それぞれの瓦収容部２０は、底面部２２に設けられた孔部２５を具備している。この孔部２５は円形に形成され、底面部２２において、瓦端被覆部２３及び軒先面部との境界に設けられると共に、瓦端被覆部２３との境界線に沿って一定間隔で複数が穿設されている。
【００２９】
また、本実施形態の瓦収容部２０では、上面部２１の長手方向に対する略直角方向の長さは、底面部２２の長手方向に対する略直角方向の長さより短く設定されている。加えて、本実施形態では、上面部２１の自由端２１ａは、瓦収容部２０の内側に向けて折り返されている。
【００３０】
更に、本実施形態の屋根谷部仕上げ具１は、谷部５とほぼ同じ長さで、波型の瓦の下方に形成される空間の最大高さより大きな厚さを有する略直方体状の、弾力性に富んだ発泡樹脂製のシーリング材３０を具備している。
【００３１】
次に、本実施形態の屋根谷部仕上げ具１の使用方法について、図４を用いて説明する。まず、図４（ａ）に示すように、谷部５を形成する二面の屋根４１，４２のそれぞれに、谷部５に沿って略平行に捨桟木４５を取付ける。
【００３２】
そして、図４（ｂ）に示すように、谷樋部１０の断面のＶ字形を谷部５の断面のＶ字形と一致させると共に、谷樋部１０の長手方向を谷部５と一致させて、谷樋部１０を屋根４１，４２に載置する。これにより、谷被覆部１３によって谷部５が被覆され、第二側面部１２が捨桟木４５の上面に位置する。
【００３３】
更に、図４（ｃ）に示すように、谷樋部１０の二つの第二側面部１２のそれぞれに対して、瓦収容部２０を一つずつ、瓦端被覆部２３を谷部５側に、長手方向を谷部５と略平行にして配置する。そして、本実施形態では、瓦収容部２０の底面部２２を、谷樋部１０の第二側面部１２を介在させた状態で、捨桟木４５に対して釘３９（図２参照）によって固定する。これにより、谷樋部１０及び瓦収容部２０が、共に捨桟木４５を介して屋根４１，４２に固定される。なお、瓦収容部２０の上面部２１の長手方向に対する略直角方向の長さは、底面部２２の長手方向に対する略直角方向の長さより短い設定とされているため、釘３９を打つ際に上面部２１が邪魔になることがない。
【００３４】
この状態で、屋根４１，４２に瓦葺きを行い、谷部５に配される瓦５０は、図４（ｄ）に示すように、瓦端被覆部２３の内側面に合わせ、谷部５の傾斜に沿って切断される。なお、本実施形態では、瓦端被覆部２３の谷部５からの距離は約７５ｍｍとなるように設定されている。
【００３５】
切断された瓦５０は、切断面側の端部を瓦収容部２０に収容させるが、この際、瓦の下面と、釘３９で固定された底面部２２の上面との間に、シーリング材３０を介在させる。これにより、波型の瓦の下方に形成される空間の最大高さより大きな厚さを有すると共に弾力性に富んだ発泡樹脂製のシーリング材３０が変形し、瓦の下方の空間が充填される。以上の作業により、谷部５を有し瓦が敷設された屋根４１，４２において、本実施形態の屋根谷部仕上げ具１によって谷部５の仕上げがなされた状態となる。なお、図１及び図２では、波型の瓦５０の断面として、最も高い位置にある断面５０Ｈと最も低い位置にある断面５０Ｌを図示している。
【００３６】
上記のように、本実施形態の屋根谷部仕上げ具１によれば、谷部５に沿って切断された瓦の切断面が瓦端被覆部２３により被覆されると共に、瓦収容部２０に収容された瓦の側面が軒先面部により被覆される。これにより、必ずしも切断面が谷部５に沿って揃うように瓦５０を切断する必要がなく、熟練を要することなく、極めて容易に、短時間で、外観良く谷部５の仕上げを行うことができる。
【００３７】
また、切断された瓦５０の断面の色、表面の粗さ、いわゆる白化現象などが、外観に及ぼす影響を考慮する必要がないものとなると共に、従来のように、陶磁器瓦の断面に塗装を施す必要がないため、煩雑な作業を回避して、容易かつ迅速に、谷部５の仕上げを行うことが可能となる。
【００３８】
加えて、谷部５に沿うように切断された瓦が小片となる場合も、従来のように、小片の瓦を支える部材を屋根に取付ける等の付加的な作業を行わなくとも、小片の瓦を瓦収容部２０によって支持させることができる。
【００３９】
更に、谷部５に沿って瓦５０の端部が瓦収容部２０で覆われるため、波型の瓦の下方に形成される空間が外方に開口することがなく、雀などの鳥が瓦下の空間へ入り込んで巣を作ってしまうという、従来の問題を解消することができる。
【００４０】
また、瓦５０を伝わって瓦収容部２０に流入した雨水が、孔部２５から排出されると共に、谷樋部１０の第二側面部１２は谷被覆部１３よりも高い位置にあり、且つ、瓦５０の下面と底面部２２の上面との間にシーリング材３０が充填されているため、雨水が谷樋部１０の下面側に回り込むことが防止され、谷部５での雨漏りを有効に防止することができる。
【００４１】
加えて、上面部２１の自由端２１ａが瓦収容部２０の内側に向けて折り返されているため、瓦収容部２０に瓦５０を挿し込む際に、作業者が金属板の断面で手を傷付ける恐れがないと共に、瓦５０を滑らかに挿し込むことができる。また、瓦収容部２０の上面部２１の長手方向に対する略直角方向の長さは、底面部２２の長手方向に対する略直角方向の長さより短い設定とされているため、底面部２２へ釘３９を打つ際に上面部２１が邪魔にならず、作業がし易いものとなる。
【００４２】
上記では、一対の瓦収容部２０がそれぞれ一体的に形成されている実施形態を例示したが、複数の部材を一部重畳させ、ネジやボルトで組み付けることによって、それぞれの瓦収容部を分解可能な構成とすることもできる。例えば、図５に示すように、底面部６２の谷部５側を上方に折り曲げて底面折曲部６２ａを形成し、底面折曲部６２ａと瓦端被覆部６３の一部を重畳させてネジ６９で留付けることにより、一対の瓦収容部６０のそれぞれが分解可能となった、屋根谷部仕上げ具２を構成させることができる。
【００４３】
かかる構成により、屋根谷部仕上げ具２を屋根に取付けた後であっても、ネジ６９を取外し、瓦端被覆部６３及び上面部６１により構成される断面略Ｌ字状の部材を底面部６２から取外すことができる。これにより、落ち葉などのゴミが瓦収容部６０の内部に溜まってしまった場合でも、容易にゴミを除去することが可能となる。
【００４４】
また、図６に示すように、瓦端被覆部７３の下端を底面部６２より下方に延ばし、一対の瓦収容部７０のそれぞれと谷被覆部１３の上面との間に隙間が大きく空かない構成とした、屋根谷部仕上げ具３とすることもできる。ここでは、瓦端被覆部７３の下端を折り曲げて形成された折曲部７３ａ、瓦端被覆部７３、及び上面部７１により断面略コ字状に形成され、折曲部７３ａの下面が谷被覆部１３の上面に当接するような位置で、瓦端被覆部７３が底面折曲部６２ａにネジ６９によって留付けられている形態を例示している。
【００４５】
かかる構成により、瓦収容部７０を分解してゴミ等の除去を容易に行うことができると共に、瓦収容部７０と谷被覆部１３の上面との間にも、落ち葉などのゴミが溜まり難いものとなる。また、瓦収容部７０の下面と谷被覆部１３の上面との間に隙間が大きく空かないことから、より見栄えの良い屋根谷部仕上げ具３となる。
【００４６】
なお、図５及び図６は、図１，図２及び図４と同様に、谷部５を鉛直方向に切断した場合を図示しているため、底面部６２及び瓦端被覆部６３，７３がなす角度と、瓦端被覆部６３，７３及び上面部６１，７１がそれぞれなす角度とが異なるように図示されているが、実際には底面部６２と瓦端被覆部６３，７３、及び、瓦端被覆部６３，７３と上面部６１，７１は、それぞれ略直角を構成している。また、図５及び図６では、構成を明確化するために、瓦収容部や谷樋部を構成する平板の厚さや、各構成間の間隙を誇張して図示している点も、図１，図２及び図４と同様である。
【００４７】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４８】
例えば、本実施形態では、波型の陶器瓦を葺く際の谷部の仕上げについて例示したが、本発明は瓦の種類を問わず適用することができる。例えば、瓦端被覆部の高さを平板状の瓦の断面高さより若干大きなものに設定し、平板状の瓦の端部を瓦収容部に収容させることができる。
【００４９】
また、瓦収容部の底面部、及び谷樋部の第二側面部を、捨桟木に対して釘で固定する場合を例示したが、これに限定されず、底面部及び第二側面部を融着したり、第二側面部を捨桟木に対して接着剤により強固に接着したりすることもできる。
【００５０】
更に、谷樋部及び瓦収容部が共にステンレス製の場合を例示したが、材質はこれに限定されるものではない。例えば、塗装等により防錆処理を施した鉄板や、屋根材としての強度を備えた樹脂体によって、谷樋部や瓦収容部を構成させることができる。
【図面の簡単な説明】
【００５１】
【図１】本実施形態の屋根谷部仕上げ具の構成を示す切断部端面図である。
【図２】図１におけるＡ範囲の拡大図である。
【図３】図１の屋根谷部仕上げ具を屋根に取付けた状態を示す模式図である。
【図４】図１の屋根谷部仕上げ具の使用方法を説明する説明図である。
【図５】他の実施形態の屋根谷部仕上げ具の概略構成を示す断面図である。
【図６】他の実施形態の屋根谷部仕上げ具の概略構成を示す断面図である。
【符号の説明】
【００５２】
１，２，３  屋根谷部仕上げ具
５  谷部
１０  谷樋部
１１  第一側面部
１２  第二側面部
１３  谷被覆部
２０，６０，７０  瓦収容部
２１，６１，７１  上面部
２２，６２  底面部
２３，６３，７３  瓦端被覆部
２５  孔部
３０  シーリング材
４１，４２  屋根
４５  捨桟木
５０（５０Ｈ，５０Ｌ）  瓦
【図１】
2008057173.tif 000003
【図２】
2008057173.tif 000004
【図３】
2008057173.tif 000005
【図４】
2008057173.tif 000006
【図５】
2008057173.tif 000007
【図６】
2008057173.tif 000008